(57)【要約】【課題】  剣道着と剣道具の間に着装して、突き動作から身体を防護するための突き技用保護衣を提供する。【解決手段】  突き技用保護衣は、キルティング加工された布製の表地及び裏地を縫製して形成されている首の前面と側面を覆う襟部と身体胸上部前面を覆う胴部と、襟部及び胴部のそれぞれを着装するための複数の着脱・緊緩自在の接続具とからなり、襟部は、首の前面部を密着して覆うように芯地が表地と裏地の間に挿入されて縫製され、胴部は、身体の胸上部の前面部を密着して覆うようにクッション材と芯地とが表地と裏地の間に挿入されて縫製され、上記剣道具の胴の胸より大きく、身体の胸上部より小さく形成されている。【選択図】図１
2006037263.tif 000002
【特許請求の範囲】
【請求項１】
首の前面を覆う襟部と、
身体の胸上部及び身体の肩部を覆う胴部と、
襟部及び胴部に取り付けた複数の着脱・緊緩自在の接続具と
からなり、
剣道着と剣道具の間に着装し突き技から身体を保護すること
を特徴とする突き技用保護衣。
【請求項２】
前記襟部及び前記胴部は、キルティング加工された布製の表地及び裏地を縫製して形成されていることを特徴とする請求項１に記載の突き技用保護衣。
【請求項３】
前記胴部は、身体の胸上部の前面部を密着して覆うようにクッション材と芯地とが前記表地と前記裏地の間に挿入されて縫製され、前記剣道具の胴の胸より広く、身体の胸上部よりやや小さく形成されていることを特徴とする請求項１、２に記載の突き技用保護衣。
【請求項４】
前記襟部は、首の前面部を密着して覆うように芯地が前記表地と前記裏地の間に挿入されて縫製されていることを特徴とする請求項１、２に記載の突き技用保護衣。
【請求項５】
前記襟部は、首の前面部を密着して覆うようにクッション材と芯地とが前記表地と前記裏地の間に挿入されて縫製されていることを特徴とする請求項１、２に記載の突き技用保護衣。
【請求項６】
首の前面を覆う首の前面部を密着して覆うように芯地が表地と裏地の間に挿入されて縫製されている襟部と、
身体の胸上部、肩部及び腹部を覆い、前記身体の胸上部、肩部及び腹部の前面部を密着して覆うようにクッション材と芯地とが表地と裏地の間に挿入されて縫製され、剣道具の胴の胸より広く、前記身体の胸上部よりやや小さく形成されている胴部と、
前記襟部及び前記胴部に取り付けた複数の着脱・緊緩自在の接続具と
からなり、
前記襟部、前記胴部の前記表地は、キルティング加工された布を縫製して形成され、
前記襟部、前記胴部の胸上部の前記裏地は、キルティング加工された布を縫製して形成され、
前記胴部の腹部の裏地は、ネット状の布を縫製して形成され、
剣道着と剣道具の間に着装し突き技から身体を保護すること
を特徴とする突き技用保護衣。
【発明の詳細な説明】
【技術分野】
【０００１】
本発明は、剣道の突き技の稽古の際に、受け側の稽古者が相手方の竹刀の剣先を喉部分に突き受けることによって生ずる喉周辺、首回り、胸の上部への打撲・擦過傷・骨折・内出血等の防止するための剣道用プロテクター（突き技用保護衣）に関する。
【背景技術】
【０００２】
剣道の試合は、剣道試合審判規則（（財）全日本剣道連盟制定、平成１４年９月２９日施行）の３条〜第５条の規定及びその第３図によれば、剣道着１５０、袴１６０を着用して、竹刀、剣道具（面１１０、小手１２０、胴１３０、垂れ１４０を装着して、行うことになっている（図１０、図１１参照）。剣道具は、現在の形態となって１００年以上たち、基本的な形態として最良のものといえるものである。
【０００３】
剣道の試合の勝敗は、上記剣道試合審判規則第７条、第１１〜１４条によれば、剣道具の面部（正面及び左右面）、小手部（右小手及び左小手）、胴部（右胴及び左胴）、突部（垂れ）の打突部位を、竹刀でもって打ち合い、充実した気勢、適正な姿勢をもって、竹刀の打突部で打突部位を刃筋正しく打突し、残心ある打突を有効打突として一本とし、三本勝負で決することとされている。
【０００４】
また、剣道の稽古は、有効打突となる打突を確実に行えるようにするため、互いに所作を決めて行う約束稽古が行われる。また、他に稽古方法として、自由に試合形式で打ち合う地稽古という稽古方法もある。
剣道の面部、小手部、胴部への打突、つまり、面技、小手技、胴技は、突部への打突、突技と相違して、打撃すなわち、竹刀の回転動作によって、「打つ」という動作であるため、竹刀の打突部と打突部位とが交差し、竹刀が撓みやすいので、竹刀と剣道具との接触する面積も大きいこともあって、突技の打突動作より衝撃は一般的に小さい。また、面、小手、胴の打突部位は、その打撃に対して身体の慣れもあるため、痛みやあざ等も習熟とともに軽減されていくこともあって、比較的恐怖感も薄れるのが早く、初心者であっても、比較的短期間でその技の稽古を行うことができるようになる。
【０００５】
しかしながら、突部への打突は、刺撃すなわち突部へ竹刀の先端部を「突く」動作、つまり、竹刀の先端部の直線的動作によってなされるものであるので、竹刀と剣道具との接触する面積が小さく、かつ、外れ易いこともあり、初心者には難しい技であり、技として一番難しいものといわれている。
特に突き技は、初心者や中級者にとって、難しく恐怖感を持つものであるため、かえって外れ易く、外れると、剣道具で防御されていない咽喉部、胸部に当たるため、慣れによる痛みやあざの軽減効果も薄くいため、痛みも他の打突部位に比べ強く、突く方も突かれる方にも、恐怖感が軽減されにくいものであった。
【０００６】
稽古を行う際に、相手の喉部分を突くことは上記説明したように高度の技術を要するために稽古時間をかけないと技術向上しないものである。そして、突技に対する恐怖感が抜けにくいものであるため、突技の稽古が他の稽古に比して少ない傾向にあること、例え稽古を積んでも、突き技の練度は上がりにくいものであるため、稽古と正比例して、技の練度が上がっていないので、ますますケガと恐怖感が増してくる場合もあるという問題をある。
【０００７】
突き技はかなりの衝撃度を持ち、稽古者は、常に首部分には擦過傷、肩部には鎖骨の打撲・骨折、胸部には打撲・擦過傷・骨折等を受けるおそれがあるものである。擦過傷と打撲の傷跡は、軽いものであっても三週間位は残り、普段の生活に於いてその傷を隠すことが難しいものであった。
【０００８】
突部、つまり突き垂れ１１３への突き動作に対する傷害を防止するために、特許文献１に示されている剣道具面体がある。この剣道具面体は、図１２に示すように、面金１１１、面布団１１２、突き垂れ（前垂れ）１１３、内輪１１４等から構成される面１００において、内輪１１４の地部に取付けられ、前垂れ１１３の内側に整列するように取付けられた裏内垂れ１１４が設けられたものである。
【０００９】
また、突き動作が主体のフェンシング用プロテクタとして、特許文献２のようなものがある。特許文献２のフェンシング用プロテクタは、フェンシングの練習、競技に使用する剣は、剣先が実物の剣のように鋭利なものでないとしても、細く尖っていて、しかも剣自体が極めて弾力性を有するので、競技者が相手の剣先を体に受けると、練習の場合といえどもかなりの危険性を伴い、剣先がプロテクターを貫通しないまでも、剣身が弾力性をもって撓むことによって、プロテクターの上から体に対してかなり強度の突き刺し衝撃力を受けることになり、競技者は常に上半身に酷い内出血を生じ、場合によっては肋骨や鎖骨にひび、骨折を生ずるという危険性があるという問題点を解消することを目的とするものある。
フェンシング用プロテクタ２００は、図１３に示すように、適度の剛性と弾力性とをもったほぼ方形の合成樹脂板の本体２０１からなり、本体２０１の一側寄りに上部から肩ぐり部２０２を切り込むことにより、この肩ぐり部２０２を中心として一方側には胸当て部２０３、他方側には背当て部２０４を形成し、前記胸当て部２０３の上端には首ぐり部２０５を設けるとともに、前記肩ぐり部２０２の上部両側に前肩当て部２０７と、内側上端に円形若しくはテーパー状のカット部２０９をもった後肩当て部２０８とをそれぞれ形成して、該前肩当て部２０７と後肩当て部２０８との間には、肩当て連結片２１０を備えたものであって、着用した場合に極めて軽量で、しかも体にピッタリと密着して激しい体の動きにも追従でき、かつ、上半身の広い範囲をかなりの頻度で突かれてもその衝撃に耐えることができて、競技者に充分な安全性を保証することのできるものである。
【００１０】
また、ナイフ等の刺撃を防ぐための防護衣として、特許文献３に記載された防護衣がある。特許文献３の防護衣は、図１４に示すように、エプロンや作業衣の胸部や腹部に相当する部分にポリアリレート繊維の紡績糸からなる布帛２が面ファスナー３により取付けられている。
【００１１】
【特許文献１】昭和４６年実用新案出願公告第３４４１４号公報
【特許文献２】特開平５−１０３８５３号公報
【特許文献３】特開平６−１７４３９６号公報
【発明の開示】
【発明が解決しようとする課題】
【００１２】
剣道具の形態は、ほぼ最良のものといえるものであるが、突き技に対する防護には、他の技と同様の身体に対する防護性を備えているとはいえないため、初心者や中級者にとって、特に女性においては、突き動作の稽古自体にかなりの抵抗感・恐怖感を持っているものである。
【００１３】
突部への突き技稽古は、剣道着着用と剣道具装着を行い、剣道具の面にある喉部分の突部（以下、「突き垂れ」という。）を突くことによって行われるが、面の突き垂れ部分が小さく、突き垂れと面布団の間に三角形状の空間ができており（図１１参照）、結果的に開いているため、突き動作をした竹刀が外れると、剣道具で防御されていない身体の突き垂れの裏側の咽喉部や稽古着で覆われた胸部に直接当たることになってしまい、痛みやあざが伴うこととなる。
したがって、突きは高度の技術を要するものであることと、突いても外れる事の方が多いので他の技と比して、障害が発生し易く、その上、傷跡が残りやすいため、初心者や女性に敬遠されやすいものであった。
しかも最近は竹刀が竹製のもののみであったものが、カーボン製の竹刀が使用されるようになって、竹製のように打突した際竹刀が撓りやすかったものが、カーボン製竹刀は撓りにくいため、障害がさらに発生しやすくなっている。
【００１４】
特許文献１に記載されているものは、突き垂れと面布団を内側から覆って、突き動作から咽喉部を保護しようとするもので、現在の剣道具の面には備えられているものであるが、裏内垂れ１１４が備えてあっても、突き動作の外れたことによる傷害は防ぐことができず、改良が望まれているものである。
【００１５】
また、特許文献２に記載のものは、突き動作による体への衝撃に耐えることができるものであるが、本体２０１はポリエチレン製の剛性のあるもので、その上胸部分にポリエチレン製の剛性のある連結片２１０を取り付けて身体を保護するものであり、剛性のある身体保護具としては剣道具の胴に劣るものであり、剣道着と剣道具を装用した上に、装着するには不適切なものである。
【００１６】
特許文献３に記載のものは、ポリアリレート繊維という高価な高張力繊維を使用するもので、刃物による殺傷から身体を保護するものであっても、剣道の突き動作による傷害を防げるものではなく、剣道具の胴や、垂れの防護性より劣るものである。
【課題を解決するための手段】
【００１７】
本発明は、剣道具の高い防護性に鑑み、突動作の稽古時に使用するための、剣道着と剣道具の間に装着する突き技用保護衣を提供するもので、まず安全性で簡便なものを提供することを第一の目的とし、第二の目的として、着用した際軽量なので動き易く、しかも身体にしっかりと密着しているので激しい突きの動きにも追従できること、第三の目的として、喉、胸上部の広範囲に激しく突かれても衝撃に耐えることができ、稽古者に十分な安全性の保証と恐怖感を脱却することのできる突き技用保護衣の提供を目的とする。
【００１８】
本発明の突き技用保護衣は、首の前面を覆う襟部と、身体の胸上部及び身体の肩部を覆う胴部と、襟部及び胴部に取り付けた複数の着脱・緊緩自在の接続具とからなり、剣道着と剣道具の間に着装し突き技から身体を保護するように構成されている。
また、前記襟部及び前記胴部は、キルティング加工された布製の表地及び裏地を縫製され、前記胴部は、身体の胸上部の前面部を密着して覆うようにクッション材と芯地とが前記表地と前記裏地の間に挿入されて縫製され、前記剣道具の胴の胸より広く、身体の胸上部よりやや小さく形成され、前記襟部は、首の前面部を密着して覆うように芯地が前記表地と前記裏地の間に挿入されて縫製され、前記襟部は、首の前面部を密着して覆うようにクッション材と芯地とが前記表地と前記裏地の間に挿入されて縫製されている。
【００１９】
また、本発明の突き技用保護衣は、首の前面を覆う首の前面部を密着して覆うように芯地が表地と裏地の間に挿入されて縫製されている襟部と、身体の胸上部、肩部及び腹部を覆い、前記身体の胸上部、肩部及び腹部の前面部を密着して覆うようにクッション材と芯地とが表地と裏地の間に挿入されて縫製され、剣道具の胴の胸より広く、前記身体の胸上部よりやや小さく形成されている胴部と、前記襟部及び前記胴部に取り付けた複数の着脱・緊緩自在の接続具とからなり、前記襟部、前記胴部の前記表地は、キルティング加工された布を縫製して形成され、前記襟部、前記胴部の胸上部の前記裏地は、キルティング加工された布を縫製して形成され、前記胴部の腹部の裏地は、ネット状の布を縫製して形成され、剣道着と剣道具の間に着装し突き技から身体を保護するように構成されている。
【発明の効果】
【００２０】
以上に述べたように、本発明の突き技用保護衣は、剣道着と剣道具の間に装着する突き技用保護衣で、安全性で簡便なものを提供することができ、着用した際軽量なので動き易く、しかも身体にしっかりと密着しているので激しい突きの動きにも追従できること、喉、胸上部の広範囲に激しく突かれても衝撃に耐えることができ、装用者に充分な安全性の保証と恐怖感を脱却することのできるという効果を奏し得るものである。
【００２１】
また、相手の竹刀の剣先が装用者の肩部・胸部の上部に突き当った場合にも、剣先を肩線・脇線表面から滑らせることができるので、剣先の衝撃が身体に直接加えられることを防止することができ、装用者の身体に対する安全度を著しく高めることができる。
また、襟部と胴部に着脱・緊緩自在の接続具を着けたもので首回りに応じて締め合わせ、表身頃を上半身に当てがい、脇部分の接続具を胴回りに応じて締め合わせ、襟首部分はややしっかりと首周りに応じて締め、胴回りは自分の胴回りに応じてやや緩めに締めることにより安全性の保持と、激しい動きに対しても、突き技用保護衣が上下左右に動くことなくしっかり密着でき、激しい動きに何ら支障を与えることなく、またワンタッチで簡単に装・脱着できる。
【００２２】
さらに、首部分を巻いてマフラー状態なので、保温性が良いため、身体温度が早く高まり身体の動きが良くなる。冬季間及び寒冷地に於いては、保温衣として極めて効果が大である。
この突き技用保護衣は、使用するとき以外は、キルティング材質なので折り畳みが可能で、軽量ゆえに剣道具袋にも稽古着等とともに簡単に納めることができ、かなりの枚数をも容易に搬送することができる。更には、製造コストも安価である。使用後は風乾し衛生を保ち、水洗いも簡単に行うことができる。
【発明を実施するための最良の形態】
【００２３】
本発明の実施例を、図１〜図９に基づいて、説明する。
図１、２は、本発明の実施例の突き技用保護衣１０の正面、裏面を示すもので、突き技用保護衣１０は、胴部１１と、襟部１２、胴部１１の表見頃１３、裏見頃１４、ネット１５、着脱・緊緩自在の接続具としてテープ・バックル１９から構成されている。テープ・バックル１９は、上部接続具であるテープ・バックル１９ａ、１９ｂと、下部接続具であるテープ・バックル１９ｃ、１９ｄから構成されている。
胴部１１、襟部１２の素材は、キルティング加工された布製ものからなり、その全体形状はほぼ台形形状となっている。
【００２４】
稽古に際しては、後に詳述するが、剣道着と剣道具の間に装着して使用する。また、稽古中に取り外すことができるように、テープバックル１９を使用者自らが外して、襟部１２を上方に引き上げるようにすれば、剣道具を外さずに、装脱することができる。
【００２５】
図３、４、５は、胴部１１の構成部材の前中心によって展開した展開図である。
表身頃１３、裏見頃１４は、身体胸上部（鎖骨・肋骨・胸骨等）を保護し、安全度を高めるために、その素材は、キルティング加工を施した布製のものからなる。
胴部１１は、表身頃１３と裏見頃１４の間に、胴部１１の身体に対する密着性の向上と緩衝のために芯地１６（実施例においては、芯地の素材として、不織布のパネロン（ダイニック株式会社の登録商標）を使用している。）を、さらに、突技に対する衝撃緩和のためにクッション材１７とを挿入して、表身頃１３と裏見頃１４とを縫製して形成されている。
【００２６】
表身頃１３と裏見頃１４の間に挿入される芯地１６は、突き技用保護衣１０の形態を整え保ち、突いた竹刀の先端がキルティング加工されている表見頃１３に当たった際の衝撃の緩衝と、竹刀を滑り易くするような作用をなすため、竹刀の先端が身体に当たった際の衝撃をそらすことによって緩和させることができる。
クッション材１７は、実施例において、ポリエステル製のパンチング綿（フェルト）を低融点バインダーにより堅く仕上げたものを使用し、竹刀の先端が身体に当たった際の衝撃を緩和する。
【００２７】
裏身頃１４は、身体の胸上部に対応する上半部である胸部（剣道具の胴４０の胸４１とほぼ対応する部分、図９参照）と、身体の肋骨の下部に対応する下半部である腹部１５（剣道具の胴４０の胴台４２とほぼ対応する部分）とから形成され、上半部は、表見頃１３と同様の素材のキルティング加工を施した布製のものからなり、下半部１５は、襟部１２が首の前面部分を巻いた状態になっているので、保温効果がある反面、放熱が悪くなっているため、熱中症防止用として、ネット１５（メッシュでも良い）を使用して、放熱効果を高めるようにしている。
【００２８】
表身頃１３、裏見頃１４は、ともに、その外郭部分は、襟刳り部１３ａ、肩刳り部１３ｂ、袖・脇刳り部１３ｃ、脇部１３ｄ、裾部１３ｅより構成されており、本発明における構成の最も特徴的な構成といえるものである。
以下に、表見頃１３、裏見頃１４の外郭部分の説明を図３に基づき行うが、表見頃１３も裏見頃１４も同一形状であるため、表見頃１３の外郭形状のみの説明を行うこととする（図４、図５参照）。
【００２９】
表見頃１３は、鎖骨・肋骨・胸骨等の骨折、打撲、擦過傷を起こし内出血・軽い火傷防止のためのものである。不織布の芯地１６とクッション材１７の組合せにより、安全性を高めている。
【００３０】
表見頃１３の襟刳り部１３ａは、襟部１２と縫製したとき、表見頃１３が身体の胸上部と密着し、襟部１２が首と密着するように、形成されている。
つまり、襟刳り部１３ａの襟付き線は、襟部１２の襟付き線と同一形状とされ、互いを縫製すると、襟部１２は、表見頃１３に対して、立ち襟状となる。
【００３１】
表見頃１３の肩刳り部１３ｂは、肩部分の肩関節・鎖骨・肋骨・胸骨等を保護するために、身体の肩上部の頂上の線を越えない位置に保持されるように形成され、竹刀がこの部分に突いた場合滑り外れるような構造とされている。
肩刳り部１３ｂの上部の下り線は肩線と称し、身体の肩上部を保護し、特に鎖骨の保護を図るため、肩線を下り線とし、装用時に、身体の肩上部の頂上部位置に位置するように形成されている。この様に形成することにより、肩の上部は、竹刀が当っても流れるようになる。
つまり、肩刳り部１３ｂの肩線は、身体の肩上部の頂上線と同一となるように形成されている。
【００３２】
表見頃１３の袖・脇刳り部１３ｃは、袖刳り部分と脇刳り部分からなる。
袖・脇刳り部１３ｃの袖刳り部分（肩刳り部１３ｂの端部から袖・脇刳り部の上方直線状の部分）は、剣道に於いて相手に打撃を与える腕の繰用性を鑑みて、肩刳り部１３ｂの肩線から袖・脇刳り部１３ｃの脇線に向かって内側に（体側中心側へ）直線状に大きく抉ってカットしてある。これは、装着者が竹刀を構えた時に両手が内側に入った際、身体の肩関節が肩刳り部１３ｂと袖・脇刳り部１３ｃとの交差部を前方へ押し出すように作用して、芯地１６の整形作用により、表見頃１３が中心線付近を中心として湾曲するため、身体に密着することとなるためである。
【００３３】
袖・脇刳り部１３ｃの脇刳り部分は、袖刳り部分と連続して体側中心側へ湾曲し大きく抉ってカットしてある。この様な刳り部分を形成することにより、相手方の竹刀の先端が胴４０の胸４１に当たり側方に滑って表見頃１３に当たったり、竹刀の先端が直接当たったとき、袖・脇刳り部１３ｃが装用者の身体と密着して装用されていることにより、引っ掛かることなく、当たると直ちに滑るため、装用者の身体に対する衝撃を大幅に軽減することができることと、剣道具の胴４０の胸４１と胴台４２の接続部付近の動きに着装者が違和感を覚えないようにすることができる。
したがって、袖線は、肩線の交点からの直線状の上方部分と、脇線との交点の上方部分の大きく湾曲した下方部分とから形成されていることとなる。
【００３４】
袖・脇刳り部１３ｃの下部にある脇部１３ｄは、剣道具の垂れの上部付近に当ることによって操用性を保つために少し長めとしている。また胴部接続具により、装着者の胴回りの大きさに応じて自在に調整できるようにされている。
脇部１３ｃは、通気性を保つために裏身頃１４にはネット１５、又はメッシュ材を使用してある。
【００３５】
裾部１３ｅは、剣道具の垂れ５０の上端部に引っかからないように垂れ５０の上部に少しかかるように長めに形成されている。
【００３６】
襟部１２は、首周りを保護するためのもので、突きが外れた時に、擦過傷を起こす事が大であり、極めて危険度が高い部分なので表襟地１２ａ、裏襟地１２ｂのいずれにもキルティング加工された布地から形成され、中には芯地１８（実施例においては、芯地の素材として不織布の、パネロン（ダイニック株式会社の登録商標）を使用している。）を入れて補強している。さらに、表襟地１２ａ、裏襟地１２ｂには襟角度をつけて、立ち襟としているので、装用者の胸上部から咽喉部（首の前面と側部の前半部分）にかけて密着して装用できるようになっており、装用者の首左右に剣先が当たった場合でも滑り易くなるようにされている。
前記のように、襟部の下部の襟付き線は、表見頃の襟付き線と同一形状とされている。
【００３７】
相手方の竹刀の先端部は、剣道具の面の突き垂れから外れた場合でも、襟１４に当たるため、滑って抜け、首の喉部と首周りに与える衝撃緩和と擦過傷を防ぐことができる。
【００３８】
激しい稽古を要する装用者には、この突き技用保護衣の表身頃内にクッション材を１枚又は、２枚加えてもよい。
【００３９】
襟部１２と、脇部１３ｄの左右の側端部には、保護衣１０を装用するために、左右の中心に調整できる取付け紐に取り付けたワンタッチ式緊緩具（接続具）、テープ・バックル１９ａ、１９ｂ、１９ｃ、１９ｄを備えている。テープ・バックル１９は、装用者自身が取り外しができるようにしたものである。
なお、襟部１２へのテープ・バックル１９ａ、ｂを取付けた取り付け紐の取付けは、襟部１２の端部と平行となるようにされている。
脇部１３ｄへのテープ・バックル１９ｃ、ｄを取付けた取り付け紐の取付けは、裾部１３ｅと平行に取り付けてある。
【００４０】
図６は、本発明の第２実施例の突き技用保護衣の表見頃１３’、裏見頃１４’を示す。
表見頃１３’は、肩刳り部１３ｂ’の肩線が、第１実施例のものより短く形成されて、身体の肩関節に係らないようにされている。さらに、表見頃１３の中心部を所定の間隙をあけて、２分割した芯地１６ａ、１６ｂと、クッション材１７ａ、１７ｂとを裏見頃１４’との間に挿入して形成するようにしている。
【００４１】
第２実施例の構成は、竹刀を構えて肩関節が先方へせり出しても、表見頃１３’（裏見頃１４’）が当たらないように構成され、着装者の身体感覚に違和感を与えにくくされている。
そして、身体と保護衣１０’の密着性が損なわれないように、中心部に所定の間隙をあけて、２分割された芯地１６ａ、１６ｂ、クッション材１７ａ、１７ｂ’を用いることにより、身体との密着性を損なわれないように構成している。
【００４２】
以上の説明から明らかなように、突き用保護衣１０は、喉・肩・胸上部を保護するために、剣道の激しい動きに繰用性を持ち適度の弾力を維持し、ほぼ台形の形でキルティング材料を表裏に使用主体として作成してある。
【００４３】
剣道の稽古に於いて、本発明の突き技用保護衣１０は、その突き技の稽古時に喉部分を突くので極めて危険度が高い事と、喉部を竹刀が我に向かって突いてくるために、強い恐怖感を覚えるため、自然な精神状態で稽古ができるように装用する。
【００４４】
本発明の突き技用保護衣１０の使用に際しては、まず、装用者は、図９に示すように、互いに、剣道着６０、袴７０を着用し、剣道具の垂れ５０を着用したのち、突き技用保護衣１０を装着し、剣道具の胴４０を着け、剣道具の面２０を着け、左右の小手３１、３２をつけて、竹刀を取って、稽古をすることとなる。
互いに突き技用保護衣１０を装用して稽古を行うことにより、危険性と衝撃を和らげて、恐怖感を取り除き、障害の防止と剣道技術向上のために資することになる。なお、突き技用保護衣１０は、突き技の稽古に専ら使用することを旨とするもので、稽古時や試合時は外すこととし、そのために、装着者自らがテープ・バックル１９を外して、簡単に外せるような構成とされている。
【図面の簡単な説明】
【００４５】
【図１】本発明の実施例の正面図。
【図２】本発明の実施例の裏面図。
【図３】本発明の実施例の胴部の表見頃の正面図。
【図４】本発明の実施例の胴部の裏表見の正面図。
【図５】本発明の実施例の胴部の表見頃、裏見頃、芯地、クッション材の縫製時の位置関係を示す展開正面図。
【図６】本発明の第２実施例の構成部材を示す展開正面図。
【図７】本発明の襟部の構成部材を示す展開正面図。
【図８】本発明の実施例の、図１のＡ−Ａ線に沿った断面図。
【図９】本発明を装着した装用者が剣道着、剣道具を装着した状態を示す図。
【図１０】剣道具及びその打突部位を示す図。
【図１１】装用者が剣道着、剣道具を装着した状態を示す図。
【図１２】特許文献１に記載された剣道具面体の斜視図。
【図１３】特許文献２に記載されたフェンシング用プロテクタの全体図。
【図１４】特許文献３に記載された防護衣の斜視図。
【符号の説明】
【００４６】
１０  突き技用保護衣
１１  胴部
１２  襟部
１３  表見頃
１４  裏見頃
１５  ネット
１６  芯地
１７  クッション材
１８  襟用芯地
１９  接続具
【図１】
2006037263.tif 000003
【図２】
2006037263.tif 000004
【図３】
2006037263.tif 000005
【図４】
2006037263.tif 000006
【図５】
2006037263.tif 000007
【図６】
2006037263.tif 000008
【図７】
2006037263.tif 000009
【図８】
2006037263.tif 000010
【図９】
2006037263.tif 000011
【図１０】
2006037263.tif 000012
【図１１】
2006037263.tif 000013
【図１２】
2006037263.tif 000014
【図１３】
2006037263.tif 000015
【図１４】
2006037263.tif 000016